(57)【要約】  【課題】      「フィット感の向上」と「型崩れの防止」とを同時に達成することのできる枕を提供する。  【解決手段】  本体袋１２は、頭が載置される非伸縮性の載置部１４と、載置部１４と対向する非伸縮性の下面構成部１６と、枕１０の外周部の形状を保持する周側面構成部１８と、載置部１４と下面構成部１６とを連結する非伸縮性の連結部２０と、載置部１４の周囲の連結部２０が配設されていない箇所に配設された伸縮性のホールド部２２とによって構成されており、非伸縮性の載置部１４，下面構成部１６，周側面構成部１８および連結部２０によって枕１０の形状が保持されている。そして、載置部１４に頭を載せると、体圧で押し退けられたクッション材が伸縮性のホールド部２２を引き伸ばしながら流動し、クッション材が頭の形状に沿うことによって、心地よいフィット感が得られる。【選択図】      図１
2006061467.tif 000002
【特許請求の範囲】
【請求項１】
本体袋と前記本体袋内に収容された粒状のクッション材とによって構成された枕であって、
前記本体袋は、頭が載置される非伸縮性の載置部と、前記載置部と対向する非伸縮性の下面構成部と、前記載置部と前記下面構成部とを連結する非伸縮性の連結部と、前記載置部の周囲の前記連結部が配設されていない箇所に配設された伸縮性のホールド部とによって構成されている、枕。
【請求項２】
前記本体袋は、前記下面構成部の外周縁に接続された非伸縮性の周側面構成部を有する、請求項１に記載の枕。
【請求項３】
前記載置部は、通気性を有するメッシュで構成されている、請求項１または２に記載の枕。
【請求項４】
前記連結部は、前記載置部から放射状に延びてＸ形に配設されている、請求項１ないし３のいずれかに記載の枕。
【発明の詳細な説明】
【技術分野】
【０００１】
本発明は、本体袋と本体袋内に収容された粒状のクッション材とによって構成された枕に関する。
【背景技術】
【０００２】
本体袋内に粒状のクッション材を収容した枕では、粒状のクッション材が流動することによって体（頭や首）とのフィット感が高められるため、体圧が分散されて快適な使用感を得ることができる（特許文献１参照）。しかし、従来では、一種類の均質な布地で本体袋の全体を構成していたので、「フィット感の向上」と「型崩れの防止」とを同時に達成するのは困難であった。つまり、フィット感を高めるために伸縮性の布地を用いると型崩れが生じ易くなり、型崩れを防止するために非伸縮性の布地を用いるとクッション材の流動性が低下してフィット感が損われるという問題があった。
【特許文献１】特開２００３−２４５１６７号公報
【発明の開示】
【発明が解決しようとする課題】
【０００３】
それゆえに、この発明の主たる目的は、「フィット感の向上」と「型崩れの防止」とを同時に達成することのできる枕を提供することである。
【課題を解決するための手段】
【０００４】
請求項１に記載した発明は、「本体袋１２と本体袋１２内に収容された粒状のクッション材とによって構成された枕１０であって、本体袋１２は、頭が載置される非伸縮性の載置部１４と、載置部１４と対向する非伸縮性の下面構成部１６と、載置部１４と下面構成部１６とを連結する非伸縮性の連結部２０と、載置部１４の周囲の連結部２０が配設されていない箇所に配設された伸縮性のホールド部２２とによって構成されている、枕１０」である。
【０００５】
この発明では、非伸縮性の載置部１４と下面構成部１６と連結部２０とが協働することによって枕１０の形状が保持され、あらゆる方向への枕１０の型崩れが防止される。また、載置部１４に頭を載せた際には、体圧（頭の重さによる圧力）で押し退けられたクッション材が伸縮性のホールド部２２を引き伸ばしながら流動することによってフィット感が高められ、ホールド部２２の内側に押し込まれたクッション材が小高い山となってホールド性が高められる。
【０００６】
請求項２に記載した発明は、請求項１に従属する「枕１０」であって、「本体袋１２は、非伸縮性の周側面構成部１８を有する」ことを特徴とする。
【０００７】
この発明では、非伸縮性の周側面構成部１８によって、枕１０の外周部の型崩れが確実に防止される。
【０００８】
請求項３に記載した発明は、請求項１または２に従属する「枕１０」であって、「載置部１４は、通気性を有するメッシュで構成されている」ことを特徴とする。
【０００９】
この発明では、メッシュで構成された載置部１４に空気が通ることによって、頭の蒸れが防止される。
【００１０】
請求項４に記載した発明は、請求項１ないし３のいずれかに従属する「枕１０」であって、「連結部２０は、載置部１４から放射状に延びてＸ形に配設されている」ことを特徴とする。
【００１１】
この発明では、連結部２０がＸ形に配設されており、連結部２０の間の４箇所にホールド部２２が配設されているので、ホールド部２２の内側に押し込まれたクッション材が小高い山を築くことによって、載置部１４に載せられた頭が４方向から確実に保持される。
【発明の効果】
【００１２】
請求項１〜４に記載した発明によれば、非伸縮性の載置部と下面構成部と連結部とによって枕の形状を保持することができ、枕の型崩れを防止することができる。また、伸縮性のホールド部によってクッション材の流動性を高めることができるので、フィット感を高めることができる。さらに、載置部に頭を載せた際には、体圧で押し退けられたクッション材が伸縮性のホールド部の内側に押し込まれ、ホールド部が持ち上げられて小高い山が築かれるので、この山によって頭のホールド性を高めることができる。
【発明を実施するための最良の形態】
【００１３】
本発明が適用された枕１０は、図１〜図３に示すように、本体袋１２と本体袋１２内に収容されたクッション材（図示省略）とによって構成されている。
【００１４】
クッション材は、ビーズ，そば殻または樹脂パイプ等のような粒状物の集合体であり、従来の一般的な枕に用いられているものと同じものがそのまま用いられる。なお、クッション材の種類は、特に限定されるものではないが、通気性と適度な弾性を得られる点において、樹脂パイプを用いることが望ましい。
【００１５】
本体袋１２は、図１〜図３に示すように、首が当たる側部が凹状に湾曲された平面視略四角形の布袋であり、載置部１４と、下面構成部１６と、周側面構成部１８と、連結部２０と、ホールド部２２とによって構成されている。
【００１６】
載置部１４（図１，図２）は、枕１０の上面中央部の頭が載置される部分を構成するものであり、下面構成部１６（図３）は、載置部１４と対向して枕１０の下面を構成するものであり、周側面構成部１８（図１）は、下面構成部１６の外周縁に接続（縫合）されて、枕１０の外周部の形状を保持するものである。連結部２０（図１，図２）は、載置部１４の周囲に配設されて、載置部１４と下面構成部１６とを周側面構成部１８を介して連結するものである。
【００１７】
載置部１４と連結部２０とは、ポリエステル，ナイロン等からなる非伸縮性のメッシュによって一体的に構成されており、載置部１４から連結部２０が４方向へ放射状に延びてＸ形に配設されている。一方、下面構成部１６と周側面構成部１８とは、綿,ポリエステル，ナイロン等からなる非伸縮性の布地によって別々に構成されており、周側面構成部１８の角部に連結部２０の端部が接続（縫合）されている。
【００１８】
ホールド部２２は、クッション材の流動性を高めるとともに載置部１４に載せられた頭を保持するものであり、ポリウレタン,ポリエステル，ナイロン等からなる伸縮性の布地によって構成されており、載置部１４の周囲の連結部２０が配設されていない箇所に配設されている。この実施例では、連結部２０がＸ形に配設されているので、ホールド部２２は、連結部２０の間の４箇所に載置部１４を取り囲むようにして配設されている。そして、ホールド部２２と、これに隣接する載置部１４，連結部２０および周側面構成部１８とが互いに接続（縫合）されている。
【００１９】
なお、周側面構成部１８は省略されてもよく、その場合には、ホールド部２２と下面構成部１６とが互いに接続（縫合）され、連結部２０の端部が下面構成部１６に接続（縫合）されることになる。
【００２０】
枕１０を使用する際には、凹状に湾曲された側部に首が当たるようにして、載置部１４に頭を載せる。すると、枕１０の湾曲された側部が頭に密着されて、快適なフィット感が得られる。また、体圧（頭の重さによる圧力）で押し退けられたクッション材が伸縮性のホールド部２２を引き伸ばしながら流動し、クッション材が頭の形状に沿うことによって、心地よいフィット感が得られる。さらに、載置部１４と連結部２０とは、通気性を有するメッシュで構成されているので、頭が蒸れる心配はない。
【００２１】
また、体圧で押し退けられたクッション材がホールド部２２の内側に押し込まれると、クッション材がホールド部２２を押し上げて小高い山を築くこととなり、この山（ホールド部２２）によって載置部１４に載せられた頭が４方向から確実にホールドされる。そして、寝返り等によって載置部１４に横方向の力が作用した場合には、枕１０の全体に捩れ力が作用するが、枕１０の形状は、非伸縮性の載置部１４，下面構成部１６，周側面構成部１８および連結部２０によって保持されているので、枕１０の型崩れは生じない。
【００２２】
なお、上述の実施例では、本体袋１２を平面視略四角形に形成しているが、円形，楕円形または三角形等のような他の形状に形成してもよい。
【００２３】
また、上述の実施例では、連結部２０を載置部１４から４方向へ延びてＸ形に配設しているが、載置部１４から２方向へ延びてＩ型に配設してもよいし、３方向へ延びてＹ形に配設してもよい。
【００２４】
さらに、載置部１４と連結部２０とは、上述のようにメッシュで構成することが望ましいが、通気性を得る必要のない場合（寒冷地で用いる場合等）には、これらをメッシュではない通常の非伸縮性の布地で構成するようにしてもよい。
【図面の簡単な説明】
【００２５】
【図１】枕を示す斜視図である。
【図２】枕を示す平面図である。
【図３】枕を示す底面図である。
【符号の説明】
【００２６】
１０…  枕
１２…  本体袋
１４…  載置部
１６…  下面構成部
１８…  周側面構成部
２０…  連結部
２２…  ホールド部
【図３】
2006061467.tif 000003
【図１】
2006061467.tif 000004
【図２】
2006061467.tif 000005